(57)【要約】【課題】リジューム再生する際のユーザの使い勝手がよい再生システムを提供する。【解決手段】サーバ３０は、クライアント機器１０との接続を確立すると、クライアント機器１０に対応するコンテンツの停止位置情報を記憶するリジューム情報ファイルを参照する。参照した結果、クライアント機器１０でリジューム再生可能なコンテンツが存在する場合、クライアント機器１０にリジューム再生可能なコンテンツの情報を送信する。クライアント機器１０は、リジューム再生可能なコンテンツの情報を受信すると、その情報を表示する。【選択図】図１
2007243742.tif 000002
【特許請求の範囲】
【請求項１】
コンテンツを配信するサーバと、前記サーバから配信されるコンテンツを再生する複数の再生装置と、がネットワークを介して接続される再生システムにおいて、
前記サーバは、
前記再生装置がコンテンツの再生を停止したときに、その停止位置を該再生装置と該コンテンツとに対応付けて記憶する停止位置記憶手段と、
一の再生装置がコンテンツを再生する際に、前記停止位置記憶手段の記憶内容を参照して、該再生装置で再生を停止したコンテンツの停止位置の情報を記憶している場合、そのコンテンツを特定する情報を該再生装置に送信する送信手段と、
を備え、
前記再生装置は、
前記サーバから受信したコンテンツを特定する情報を表示装置に表示させる表示手段を備える、
ことを特徴とする再生システム。
【請求項２】
前記停止位置記憶手段は、
前記再生装置からユーザを識別する情報を取得し、該ユーザを識別する情報を前記停止位置と対応付けて記憶し
前記送信手段は、
一の再生装置がコンテンツを再生する際に、該再生装置からユーザを識別する情報を取得し、前記停止位置記憶手段の記憶内容を参照して、同一のユーザが該再生装置で再生を停止したコンテンツの停止位置の情報を記憶している場合、そのコンテンツを特定する情報を該再生装置に送信することを特徴とする請求項１に記載の再生システム。
【請求項３】
前記再生装置は、
前記表示装置に表示されたコンテンツをリジューム再生する指示を前記サーバに送信する手段をさらに備え、
前記サーバは、
前記再生装置から前記コンテンツをリジューム再生する指示を受信すると、該コンテンツを前記停止位置記憶手段に記憶された停止位置から前記再生装置に配信することを特徴とする請求項１又は２に記載の再生システム。
【請求項４】
前記再生装置は、
コンテンツを再生しているときに、該コンテンツの再生を停止させ、その停止位置を前記サーバに記憶する指示を前記サーバに送信する手段をさらに備え、
前記サーバは、
前記再生装置から前記コンテンツの停止位置を記憶する指示を受信すると、該コンテンツの停止位置を該再生装置と該コンテンツとに対応付けて前記停止位置記憶手段に記憶することを特徴とする請求項１、２又は３に記載の再生システム。
【請求項５】
前記再生装置は、
前記サーバから受信したコンテンツを特定する情報が１つのコンテンツの停止位置の情報であった場合、前記表示手段に該情報の表示をさせずに、前記サーバに該コンテンツの停止位置からの配信を要求する制御手段をさらに備えることを特徴とする請求項１乃至４のいずれか１項に記載の再生システム。
【請求項６】
コンテンツを再生する複数の再生装置とネットワークを介して接続され、前記再生装置にコンテンツを配信するサーバにおいて、
前記再生装置がコンテンツの再生を停止したときに、その停止位置を該再生装置と該コンテンツとに対応付けて記憶する停止位置記憶手段と、
一の再生装置がコンテンツを再生する際に、前記停止位置記憶手段の記憶内容を参照して、該再生装置で再生を停止したコンテンツの停止位置の情報を記憶している場合、そのコンテンツを特定する情報を該再生装置に送信する送信手段と、
を備えることを特徴とするサーバ。
【請求項７】
コンテンツを再生する複数の再生装置とネットワークを介して接続され、前記再生装置にコンテンツを配信するコンピュータを、
前記再生装置がコンテンツの再生を停止したときに、その停止位置を該再生装置と該コンテンツとに対応付けて記憶する停止位置記憶手段、
一の再生装置がコンテンツを再生する際に、前記停止位置記憶手段の記憶内容を参照して、該再生装置で再生を停止したコンテンツの停止位置の情報を記憶している場合、そのコンテンツを特定する情報を該再生装置に送信する送信手段、
として機能させることを特徴とするプログラム。
【発明の詳細な説明】
【技術分野】
【０００１】
本発明は、サーバからネットワークを介してコンテンツを再生する再生システム、サーバ、及び、プログラムに関する。
【背景技術】
【０００２】
近年、ＤＶＤ（Digital Versatile Disc）プレーヤの普及や、パーソナルコンピュータの進歩により、デジタルコンテンツを再生することが可能な装置が多種多様な形態で利用されるようになってきた。ここで、デジタルコンテンツとは、デジタルデータで表現された文章、音楽、画像、映像、データベース、またはそれらを組み合わせた情報の集合のことである。
【０００３】
例えば、デジタルコンテンツを再生可能な複数の装置を、ネットワークを介して接続し、同一のネットワークに接続されたサーバ内に格納されているデジタルコンテンツを再生装置にダウンロードして、これを再生するような形態が利用されるようになった。
また、サーバ内のデジタルコンテンツの再生を途中で停止した場合、のちに、停止した位置から再生（リジューム再生）することができる技術も開示されている（例えば、特許文献１）。
【０００４】
しかし、特許文献１の技術では、リジューム再生する場合も、通常再生する場合と同様に、デジタルコンテンツを選択し再生する手順を要し、リジューム再生するコンテンツをユーザが指定する必要があった。そのため、リジューム再生する際のユーザの使い勝手が悪かった。
【特許文献１】特開２００２−３２８９４９号公報
【発明の開示】
【発明が解決しようとする課題】
【０００５】
本発明は、上記実情に鑑みてなされたものであり、サーバとネットワークを介して接続される任意の再生装置でリジューム再生する場合にユーザの使い勝手のよい再生システム、サーバ、及び、プログラムを提供することを目的とする。
【課題を解決するための手段】
【０００６】
上記目的を達成するため、本発明の第１の観点に係る再生システムは、
コンテンツを配信するサーバと、前記サーバから配信されるコンテンツを再生する複数の再生装置と、がネットワークを介して接続される再生システムにおいて、
前記サーバは、
前記再生装置がコンテンツの再生を停止したときに、その停止位置を該再生装置と該コンテンツとに対応付けて記憶する停止位置記憶手段と、
一の再生装置がコンテンツを再生する際に、前記停止位置記憶手段の記憶内容を参照して、該再生装置で再生を停止したコンテンツの停止位置の情報を記憶している場合、そのコンテンツを特定する情報を該再生装置に送信する送信手段と、
を備え、
前記再生装置は、
前記サーバから受信したコンテンツを特定する情報を表示装置に表示させる表示手段を備える、
ことを特徴とする。
【０００７】
例えば、前記停止位置記憶手段は、
前記再生装置からユーザを識別する情報を取得し、該ユーザを識別する情報を前記停止位置と対応付けて記憶し
前記送信手段は、
一の再生装置がコンテンツを再生する際に、該再生装置からユーザを識別する情報を取得し、前記停止位置記憶手段の記憶内容を参照して、同一のユーザが該再生装置で再生を停止したコンテンツの停止位置の情報を記憶している場合、そのコンテンツを特定する情報を該再生装置に送信してもよい。
【０００８】
例えば、前記再生装置は、
前記表示装置に表示されたコンテンツをリジューム再生する指示を前記サーバに送信する手段をさらに備え、
前記サーバは、
前記再生装置から前記コンテンツをリジューム再生する指示を受信すると、該コンテンツを前記停止位置記憶手段に記憶された停止位置から前記再生装置に配信してもよい。
【０００９】
前記再生装置は、
コンテンツを再生しているときに、該コンテンツの再生を停止させ、その停止位置を前記サーバに記憶する指示を前記サーバに送信する手段をさらに備え、
前記サーバは、
前記再生装置から前記コンテンツの停止位置を記憶する指示を受信すると、該コンテンツの停止位置を該再生装置と該コンテンツとに対応付けて前記停止位置記憶手段に記憶してもよい。
【００１０】
前記再生装置は、
前記サーバから受信したコンテンツを特定する情報が１つのコンテンツの停止位置の情報であった場合、前記表示手段に該情報の表示をさせずに、前記サーバに該コンテンツの停止位置からの配信を要求する制御手段をさらに備えてもよい。
【００１１】
本発明の第２の観点に係るサーバは、
コンテンツを再生する複数の再生装置とネットワークを介して接続され、前記再生装置にコンテンツを配信するサーバにおいて、
前記再生装置がコンテンツの再生を停止したときに、その停止位置を該再生装置と該コンテンツとに対応付けて記憶する停止位置記憶手段と、
一の再生装置がコンテンツを再生する際に、前記停止位置記憶手段の記憶内容を参照して、該再生装置で再生を停止したコンテンツの停止位置の情報を記憶している場合、そのコンテンツを特定する情報を該再生装置に送信する送信手段と、
を備えることを特徴とする。
【００１２】
本発明の第３の観点に係るプログラムは、
コンテンツを再生する複数の再生装置とネットワークを介して接続され、前記再生装置にコンテンツを配信するコンピュータを、
前記再生装置がコンテンツの再生を停止したときに、その停止位置を該再生装置と該コンテンツとに対応付けて記憶する停止位置記憶手段、
一の再生装置がコンテンツを再生する際に、前記停止位置記憶手段の記憶内容を参照して、該再生装置で再生を停止したコンテンツの停止位置の情報を記憶している場合、そのコンテンツを特定する情報を該再生装置に送信する送信手段、
として機能させることを特徴とする。
【発明の効果】
【００１３】
本発明によれば、再生装置でコンテンツを再生する際に、自動的にサーバからリジューム再生可能なコンテンツ情報を取得し、表示するので、リジューム再生する際のユーザの使い勝手が向上する。
【発明を実施するための最良の形態】
【００１４】
本発明の実施形態に係る再生システムは、図１に示すように、クライアント機器１０と、サーバ３０と、から構成される。クライアント機器１０とサーバ３０とはネットワーク２０を介して接続される。
【００１５】
クライアント機器１０は、図２に示すように、入力部１１と、ＲＯＭ（Read Only Memory）１２と、ＲＡＭ（Random Access Memory）１３と、通信制御部１４と、ＣＰＵ（Central Processing Unit）１５と、表示制御部１６と、から構成される。
【００１６】
クライアント機器１０は、ユーザが入力部１１を操作することで、サーバ３０から再生可能なコンテンツの情報（ライブラリリスト）を取得し、表示装置４０に表示させる。そして、ユーザがライブラリリストから選択してコンテンツを再生する機器である。
【００１７】
クライアント機器１０には、クライアント機器１０（を使用するユーザ）を識別するため、ユーザＩＤを設定することができる。
【００１８】
入力部１１は、ユーザからの操作情報を受け付ける。ユーザは、入力部１１を操作することで、ライブラリリストを取得したり、再生するコンテンツ選択することができる。
また、コンテンツの再生中にユーザは入力部１１の所定の操作によって、該コンテンツの再生を停止させて、その停止位置情報（リジューム情報）をサーバ３０に記憶させる要求を、サーバ３０に送信する操作をすることができる。
【００１９】
ＲＯＭ１２は、ＣＰＵ１５の動作を制御するためのプログラムを記憶する。
【００２０】
ＲＡＭ１３は、ＣＰＵ１５のワークエリアとして機能する。
【００２１】
ＣＰＵ１５は、ＲＯＭ１３に記憶されたプログラムを実行することで、リジューム再生可能なコンテンツの情報を自動的にサーバ３０から取得する。
ＣＰＵ１５は、ＲＯＭ１３に記憶されたプログラムを実行することで、サーバ３０からコンテンツを受信し、再生する。
【００２２】
通信制御部１４は、ネットワーク２０と接続される。通信制御部１４は、ＣＰＵ１５の制御のもと、ネットワーク２０を介してサーバ３０からリジューム再生可能なコンテンツの情報、ライブラリリスト、再生するコンテンツを受信する。
【００２３】
表示制御部１６は、表示装置４０と接続される。表示制御部１６は、ＣＰＵ１５の制御のもと、サーバ３０から受信したリジューム再生可能なコンテンツの情報やライブラリリストを表示装置４０に表示させる。
表示制御部１６は、ＣＰＵ１５の制御のもと、通信制御部１４が受信したコンテンツを表示装置４０で再生させる。
【００２４】
サーバ３０は、コンテンツを格納する装置である。サーバ３０は、クライアント機器１０とネットワーク２０を介して通信を確立すると、該クライアント機器１０でリジューム再生可能なコンテンツの情報を送信する。
また、サーバ３０は、クライアント機器１０からの要求に応じて、ネットワーク２０を介してクライアント機器１０にライブラリリストやコンテンツを提供する。
【００２５】
サーバ３０は、図３に示すように、入力部３１と、ＲＯＭ３２と、ＲＡＭ３３と、通信制御部３４と、ＣＰＵ３５と、格納部３６と、から構成される。
【００２６】
入力部３１は、ユーザからの操作情報を受け付け、ＣＰＵ３５に供給する。
【００２７】
ＲＯＭ３２は、ＣＰＵ３５の動作を制御するためのプログラムを記憶する。
【００２８】
ＲＡＭ３３は、ＣＰＵ３５のワークエリアとして機能する。
【００２９】
ＣＰＵ３５は、ＲＯＭ３２に記憶されたプログラムを実行することで、通信を確立したクライアント機器１０でリジューム再生可能なコンテンツの情報を送信する。
ＣＰＵ３５は、ＲＯＭ３２に記憶されたプログラムを実行することで、通信制御部３４と格納部３６とを制御し、ライブラリリストやコンテンツをクライアント機器１０の要求に応じて供給する。
【００３０】
通信制御部３４は、ネットワーク２０と接続される。通信制御部３４は、ＣＰＵ３５の制御のもと、クライアント機器１０にリジューム再生可能なコンテンツの情報を送信する。
通信制御部３４は、ＣＰＵ３５の制御のもと、ネットワーク２０を介してクライアント機器１０にライブラリリストやコンテンツを供給する。
【００３１】
格納部３６は、複数のコンテンツを格納する。格納部３６は、ＣＰＵ３５の制御のもと、格納するコンテンツ及びその情報を通信制御部３４に供給する。
また、格納部３６は、図４に示すような、リジューム情報ファイル５０を記憶する。
【００３２】
リジューム情報ファイル５０は、コンテンツ毎に、クライアント機器１０に記憶されたユーザＩＤに対応したリジューム情報を記憶する。
リジューム情報として、前回コンテンツを再生した際の停止位置をタイムスタンプで記憶する。タイムスタンプが０でないコンテンツは、リジューム再生可能なコンテンツである。
【００３３】
ＣＰＵ３５は、クライアント機器１０にコンテンツを配信している際に、クライアント機器１０から、該配信を停止し、リジューム情報を記憶する指示を受信すると、リジューム情報ファイル５０に停止位置を記憶する。
【００３４】
ＣＰＵ３５は、リジューム情報ファイル５０を参照することで、クライアント機器１０でリジューム再生可能なコンテンツの情報を生成する。
【００３５】
続いて、上記構成の再生システムの動作について説明する。
【００３６】
先ず、上記構成の再生システムにおいて、サーバ３０がコンテンツを配信し、クライアント機器１０が該コンテンツを再生しているときに、リジューム情報を記憶する動作について説明する。
【００３７】
サーバ３０のＣＰＵ３５は、コンテンツをクライアント機器１０に配信中、定期的な割り込み処理で、図５に示す、リジューム情報記憶処理を実行する。
【００３８】
先ず、ＣＰＵ３５は、リジューム情報を記憶する要求を受信したか否かを判別する（ステップＳ１）。
【００３９】
リジューム情報を記憶する要求を受信していない場合（ステップＳ１；Ｎｏ）、処理を終了する。
【００４０】
リジューム情報を記憶する要求を受信している場合（ステップＳ１；Ｙｅｓ）、コンテンツの配信を停止し、その停止位置のタイムスタンプをリジューム情報ファイル５０に記憶する（ステップＳ２）。
【００４１】
以上のようにして、サーバ３０は、リジューム情報を記憶する。
【００４２】
次に、クライアント機器１０に電源が投入されたときの動作について説明する。
クライアント機器１０に電源が投入されると、クライアント機器１０のＣＰＵ１５は、図６に示す、接続処理を実行する。
【００４３】
接続処理では、ＣＰＵ１５は、先ず、通信制御部１４を制御して、サーバ３０に接続する（ステップＳ１１）。
【００４４】
次に、ＣＰＵ１５は、クライアント機器１０に設定されたユーザＩＤを、通信制御部１４を制御して、サーバ３０に送信する（ステップＳ１２）。
【００４５】
以上で接続処理を終了する。このように、クライアント機器１０は、電源が投入されると自動でサーバ３０に接続する。
【００４６】
一方、サーバ３０は、定期的な割り込み処理で、図７に示す、リジューム情報送信処理を実行する。
【００４７】
リジューム情報送信処理では、ＣＰＵ３５は、先ず、クライアント機器１０と接続しているか否かを判別する（ステップＳ２１）。
【００４８】
クライアント機器１０と接続していない場合（ステップＳ２１；Ｎｏ）、処理を終了する。
【００４９】
クライアント機器１０と接続している場合（ステップＳ２１；Ｙｅｓ）、ＣＰＵ３５は、クライアント機器１０から送信されるユーザＩＤを取得する（ステップＳ２２）。
【００５０】
次に、ＣＰＵ３５は、取得したユーザＩＤに基づいて、リジューム情報ファイル５０を検索する（ステップＳ２３）。
【００５１】
ステップＳ２３で検索した結果、ユーザＩＤに対応するリジューム再生可能なコンテンツが存在するか否かを判別する（ステップＳ２４）。
【００５２】
リジューム再生可能なコンテンツが存在しない場合（ステップＳ２４；Ｎｏ）、処理を終了する。
【００５３】
リジューム再生可能なコンテンツが存在する場合（ステップＳ２４；Ｙｅｓ）、ＣＰＵ３５は、そのリジューム再生可能なコンテンツの情報を、通信制御部３４を制御して、クライアント機器１０に送信する（ステップＳ２５）。
【００５４】
以上のように、サーバ３０は、クライアント機器１０と接続すると、クライアント機器１０（ユーザＩＤ）に対応するリジューム再生可能なコンテンツの情報が存在する場合は、その情報をクライアント機器１０に送信する。
【００５５】
そして、クライアント機器１０は、定期的な割り込み処理で、図８に示す、リジューム情報表示処理を実行する。
【００５６】
先ず、ＣＰＵ１５は、サーバ３０から通信制御部１４がリジューム再生可能なコンテンツの情報を受信したか否かを判別する（ステップＳ３１）。
【００５７】
リジューム再生可能なコンテンツ情報を受信していない場合（ステップＳ３１；Ｎｏ）、処理を終了する。
【００５８】
リジューム再生可能なコンテンツ情報を受信した場合（ステップＳ３１；Ｙｅｓ）、ＣＰＵ１５は、受信したリジューム再生可能なコンテンツの情報を、表示制御部１６を制御して、表示装置４０に表示させる（ステップＳ３２）。
【００５９】
以上のように、クライアント機器１０の接続処理と、サーバ３０のリジューム情報送信処理と、クライアント機器１０のリジューム情報表示処理と、によって、クライアント機器１０にリジューム再生可能なコンテンツ情報を自動的に表示し、ユーザにリジューム再生可能なコンテンツの情報を提供することができる。
【００６０】
これによって、ユーザはリジューム再生する際に、コンテンツのタイトル等を覚えておく必要がなくなり、ユーザの利便性が向上する。また、ユーザにそのコンテンツの再生を促すこととなり、サーバ３０で記憶したリジューム情報が放置されることが少なくなる。
【００６１】
次に、上記のように表示装置４０に表示されたリジューム再生可能なコンテンツやその他のコンテンツを再生する際の動作について説明する。
【００６２】
クライアント機器１０のＣＰＵ１５は、定期的な割り込み処理で、図９に示す、再生処理を実行する。
【００６３】
再生処理では、先ず、ＣＰＵ１５は、ユーザによる入力部１１の操作によって再生するコンテンツが選択されたか否かを判別する（ステップＳ４１）。
【００６４】
再生するコンテンツが選択されていない場合（ステップＳ４１；Ｎｏ）、処理を終了する。
【００６５】
再生するコンテンツが選択された場合（ステップＳ４１；Ｙｅｓ）、リジューム再生が選択されたか否かを判別する（ステップＳ４２）。
【００６６】
リジューム再生が選択された場合（ステップＳ４２；Ｙｅｓ）、ＣＰＵ１５は、通信制御部１４を制御して、選択されたコンテンツのリジューム再生を要求する信号を、サーバ３０に送信させる（ステップＳ４３）。
【００６７】
また、リジューム再生が選択されず、通常再生する場合（ステップＳ４２；Ｎｏ）、ＣＰＵ１５は、通信制御部１４を制御して、選択されたコンテンツの通常再生を要求する信号を、サーバ３０に送信させる（ステップＳ４４）。
【００６８】
ステップＳ４３又は、４４の再生要求は、クライアント機器１０に設定されたユーザＩＤを付して送信する。
ステップＳ４３又は、Ｓ４４で再生要求を送信すると、サーバ３０からのコンテンツの受信を待つ（ステップＳ４５、ステップＳ４７）。
【００６９】
所定時間コンテンツを受信しない場合（ステップＳ４５；Ｎｏ、ステップＳ４７；Ｙｅｓ）、タイムアウトしたものとして処理を終了する。
【００７０】
所定時間内にコンテンツを受信した場合（ステップＳ４５；Ｙｅｓ）、ＣＰＵ１５は、受信したコンテンツを、表示制御部１６を制御して表示装置４０で再生する（ステップＳ４６）。
【００７１】
以上のようにして、ユーザが選択したコンテンツをリジューム再生又は通常再生することができる。
【００７２】
次に、再生要求を受信するサーバ３０側の動作について説明する。
【００７３】
サーバ３０のＣＰＵ３５は、定期的な割り込み処理で、図１０に示す、コンテンツ送信処理を実行する。
【００７４】
ＣＰＵ３５は、先ず、通信制御部３４がクライアント機器１０から再生要求を受信したか否かを判別する（ステップＳ５１）。
【００７５】
再生要求を受信していない場合（ステップＳ５１；Ｎｏ）、処理を終了する。
【００７６】
再生要求を受信している場合（ステップＳ５１；Ｙｅｓ）、ＣＰＵ３５は、その要求はリジューム再生の再生要求であるか否かを判別する（ステップＳ５２）。
【００７７】
リジューム再生の再生要求であった場合（ステップＳ５２；Ｙｅｓ）、ＣＰＵ３５は、リジューム情報ファイル５０の、再生要求のあったコンテンツについての、再生要求のユーザＩＤに対応するデータを参照し、タイムスタンプを取得する（ステップＳ５３）。
【００７８】
そして、ＣＰＵ３５は、格納部３６に格納された再生要求のあったコンテンツを、通信制御部３４を制御して、タイムスタンプの位置からクライアント機器１０に送信する（ステップＳ５４）。
【００７９】
一方、リジューム再生の再生要求でない場合（ステップＳ５２；Ｎｏ）、ＣＰＵ３５は、格納部３６に格納された再生要求のあったコンテンツを、通信制御部３４を制御して、コンテンツの最初からクライアント機器１０に送信する（ステップＳ５５）。
【００８０】
以上のようにして、サーバ３０は再生要求に応じてコンテンツをクライアント機器１０に送信する。
【００８１】
なお、この発明は上記実施形態に限定されず、種々の変形及び応用が可能である。
【００８２】
上記実施形態では、クライアント機器１０でリジューム再生可能なコンテンツの情報を表示させる態様を指定していないが、ユーザにリジューム再生可能なコンテンツが存在することを通知できれば任意である。
例えば、図１１（ａ）に示すように、リジューム再生可能なコンテンツのみ表示してもよいし、図１１（ｂ）に示すように、ライブラリリストにリジューム情報を表示してもよい。
【００８３】
上記実施形態では、リジューム情報ファイル５０はタイムスタンプにより停止位置を記憶していたが、コンテンツを構成するフレーム数により停止位置を記憶するようにしてもよい。
【００８４】
また、上記実施形態では、サーバ３０は、クライアント機器１０からの明示的な要求に応じてリジューム情報をリジューム情報ファイル５０に記憶していたが、停止位置のタイムスタンプや停止位置に続く映像データ有無等に応じて、サーバ３０が自動的にリジューム情報ファイル５０に記憶するようにしてもよい。
【００８５】
また、上記実施形態では、リジューム再生可能なコンテンツを表示したのちに、ユーザの操作によりリジューム再生を開始していたが、リジューム再生可能なコンテンツが１つの場合、表示をスキップして再生を開始するようにしてもよい。
例えば、図１２に示すように、図８のフローチャートにリジューム再生可能なコンテンツが１つであるか否かを判別するステップ（ステップＳ３３）を追加して、１つであった場合（ステップＳ３３；Ｙｅｓ）、再生要求をサーバ３０に送信して、そのコンテンツを取得してリジューム再生するようにしてもよい（ステップＳ３４〜Ｓ３７）。なお、ステップＳ３４〜Ｓ３７の動作は、図９のステップＳ４３、Ｓ４５〜Ｓ４７と同様である。
【００８６】
また、クライアント機器１０に異なるユーザＩＤを設定することで、単一のクライアント機器１０で複数のユーザのリジューム情報を受信し、リジューム再生することができる。
【００８７】
また、上記実施の形態では、ＣＰＵ１５、３５が実行するプログラムは、ＲＯＭ１３、３３に記憶されていたが、任意の記憶媒体に予め記憶したり、ネットワークを介して任意の記憶媒体に記憶するようにしてもよい。また、上記プログラムを記憶したコンピュータをクライアント機器１０として機能させるようにしてもよい。
【図面の簡単な説明】
【００８８】
【図１】本発明の実施形態に係る再生システムのシステム構成を説明するための図である。
【図２】クライアント機器の構成を示すブロック図である。
【図３】サーバの構成を示すブロック図である。
【図４】リジューム情報ファイルの内容を説明するための図である。
【図５】サーバが実行するリジューム情報記憶処理を説明するためのフローチャートである。
【図６】クライアント機器が実行する接続処理を説明するためのフローチャートである。
【図７】サーバが実行するリジューム情報送信処理を説明するためのフローチャートである。
【図８】クライアントが実行するリジューム情報表示処理を説明するためのフローチャートである。
【図９】クライアントが実行する再生処理を説明するためのフローチャートである。
【図１０】サーバが実行するコンテンツ送信処理を説明するためのフローチャートである。
【図１１】リジューム再生可能なコンテンツの表示方法の例を示す図である。
【図１２】リジューム情報表示処理の変形例のフローチャートである。
【符号の説明】
【００８９】
１０  クライアント機器
１１  入力部
１２  ＲＯＭ
１３  ＲＡＭ
１４  通信制御部
１５  ＣＰＵ
１６  表示制御部
２０  ネットワーク
３０  サーバ
３１  入力部
３２  ＲＯＭ
３３  ＲＡＭ
３４  通信制御部
３５  ＣＰＵ
３６  格納部
４０  表示装置
５０  リジューム情報ファイル
【図１】
2007243742.tif 000003
【図２】
2007243742.tif 000004
【図３】
2007243742.tif 000005
【図４】
2007243742.tif 000006
【図５】
2007243742.tif 000007
【図６】
2007243742.tif 000008
【図７】
2007243742.tif 000009
【図８】
2007243742.tif 000010
【図９】
2007243742.tif 000011
【図１０】
2007243742.tif 000012
【図１１】
2007243742.tif 000013
【図１２】
2007243742.tif 000014